(57)【要約】【課題】内容物の重量を含めた総重量が比較的軽いものであったとしても扉体を開きやすい収納庫を提供すること。【解決手段】収納庫本体１の開口部５を開閉する扉体６を有する収納庫の扉体６に第一の把持部11を設けると共に、前記収納庫本体１に第二の把持部12を設けたものであり、一方の手で第一の把持部11を把持し、他方の手で第二の把持部12を把持し、この第二の把持部12を把持した他方の手によって収納庫本体１を押さえながら第一の把持部11を把持した一方の手によって扉体６を開くので、収納庫の外気圧が相対的に高くなるなどの原因で扉体６が開きにくい状態であっても、容易に扉体６を開くことができる。【選択図】  図１
2004205122.tif 000002
【特許請求の範囲】
【請求項１】
開口部を有する収納庫本体と、この収納庫本体の開口部を開閉する扉体とを有する収納庫において、前記扉体に第一の把持部を設けると共に、前記収納庫本体に第二の把持部を設けたことを特徴とする収納庫。
【請求項２】
前記扉体が、前記収納庫本体の開口部近傍にヒンジ機構を介して取り付けられており、この前記ヒンジ機構の略反対側に前記第一の把持部が設けられると共に、前記第二の把持部が、前記第一の把持部と対向する位置に設けられていることを特徴とする請求項１記載の収納庫。
【請求項３】
前記扉体が、前記収納庫本体の開口部近傍にヒンジ機構を介して取り付けられており、この前記ヒンジ機構の略反対側に前記第一の把持部が設けられ、前記第二の把持部が前記第一の把持部の近傍に設けられると共に、前記ヒンジ機構の軸方向と平行な座標に関して、前記第一の把持部が形成されている位置と第二の把持部が形成されている位置が重複していることを特徴とする請求項１記載の収納庫。
【請求項４】
前記収納庫本体の第二の把持部とは反対側に第三の把持部を設けたことを特徴とする請求項２又は３記載の収納庫。
【請求項５】
前記収納庫本体の開口部近傍に、この収納庫本体から突出した状態で前記第三の把持部を設けたことを特徴とする請求項４記載の収納庫。
【請求項６】
前記収納庫本体内に冷却機構及びこの冷却機構の発する熱を冷却するための電動ファンを設け、この電動ファンを前記第三の把持部が設けられた側に設けると共に、この第三の把持部を前記収納庫本体の背面又は側面から突出した状態で設けたことを特徴とする請求項４記載の収納庫。
【発明の詳細な説明】
【０００１】
【発明が属する技術分野】
本発明は冷蔵庫等の収納庫に関するものであり、特に全体の重量が比較的軽量な収納庫に関するものである。
【０００２】
【発明が解決しようとする課題】
従来この種の収納庫としては、例えば以下のものが知られている。
【０００３】
【特許文献１】
特開２００１−１１６４１６号公報
【０００４】
【特許文献２】
特開平６−３１７３７５号公報
【０００５】
【特許文献３】
特開平１０−２３８９２３号公報
【０００６】
特許文献１の発明は、上方に開口部を有した本体ケース（収納庫本体）と、本体ケースの開口部を開閉する蓋部材（扉体）を有し、この蓋部材に把持部を設けると共に、前記本体ケース内をペルチェ効果を有する電子素子等で冷却する冷温蔵庫である。そして、前記把持部を把持して上方に持ち上げることで、蓋部材が持ち上げられて開く。また、特許文献２の発明は、前方が開放した本体（収納庫本体）に扉（扉体）を開閉自在に取り付け、この扉に把手が取り付けられると共に、本体内をペルチェ素子によって冷却する切換式冷温蔵庫である。そして、前記把手を把持して前方に引くことで、扉が開く。なお、特許文献３の図面に示すように、明確に把持部を形成せず、ハウジング（収納庫本体）の開口部近傍の外周に凹部を形成し、開閉蓋（扉体）の縁を把持できるように形成したものも知られている。
【０００７】
しかしながら、これらの収納庫と内容物の総重量が比較的重い場合には問題にならないが、収納庫と内容物の総重量が比較的軽い場合、扉体を開こうとすると収納庫本体が動いて扉体を開きにくいという問題が生じる。これは特に、密閉性が良い収納庫において、収納庫内を強冷却することで収納庫内の気圧が低下してしまった場合などに顕著である。
【０００８】
本発明は以上の問題点を解決し、内容物の重量を含めた総重量が比較的軽いものであったとしても扉体を開きやすい収納庫を提供することを目的とする。
【０００９】
【課題を解決するための手段】
本発明の請求項１に記載の収納庫は、開口部を有する収納庫本体と、この収納庫本体の開口部を開閉する扉体とを有する収納庫において、前記扉体に第一の把持部を設けると共に、前記収納庫本体に第二の把持部を設けたものである。
【００１０】
本発明は以上のように構成することにより、扉体を開く際には、一方の手で第一の把持部を把持し、他方の手で第二の把持部を把持し、この第二の把持部を把持した他方の手によって収納庫本体が押さえられると共に、第一の把持部を把持した一方の手によって扉体が開かれる。
【００１１】
また、本発明の請求項２に記載の収納庫は、請求項１において、前記扉体が、前記収納庫本体の開口部近傍にヒンジ機構を介して取り付けられており、この前記ヒンジ機構の略反対側に前記第一の把持部が設けられると共に、前記第二の把持部が、前記第一の把持部と対向する位置に設けられているものである。
【００１２】
本発明は以上のように構成することにより、第一の把持部に加える力と第二の把持部に加える力との間で、これらの力を示すベクトルの始点が、これらのベクトルと直交する方向に殆どずれない。
【００１３】
また、本発明の請求項３に記載の収納庫は、請求項１において、前記扉体が、前記収納庫本体の開口部近傍にヒンジ機構を介して取り付けられており、この前記ヒンジ機構の略反対側に前記第一の把持部が設けられ、前記第二の把持部が前記第一の把持部の近傍に設けられると共に、前記ヒンジ機構の軸方向と平行な座標に関して、前記第一の把持部が形成されている位置と第二の把持部が形成されている位置が重複しているものである。
【００１４】
本発明は以上のように構成することにより、第一の把持部に加える力と第二の把持部に加える力との間で、これらの力を示すベクトルの始点が、これらのベクトルと直交する方向に殆どずれない。
【００１５】
また、本発明の請求項４に記載の収納庫は、請求項２又は３において、前記収納庫本体の第二の把持部とは反対側に第三の把持部を設けたものである。
【００１６】
本発明は以上のように構成することにより、収納庫本体に設けられた第二の把持部と第三の把持部を把持して収納庫が運ばれる。
【００１７】
また、本発明の請求項５に記載の収納庫は、請求項４において、前記収納庫本体の開口部近傍に、この収納庫本体から突出した状態で前記第三の把持部を設けたものである。
【００１８】
本発明は以上のように構成することにより、扉体を開いた際に、この扉体が第三の把持部に当接する。
【００１９】
更に、本発明の請求項６に記載の収納庫は、請求項４において、前記収納庫本体内に冷却機構及びこの冷却機構の発する熱を冷却するための電動ファンを設け、この電動ファンを前記第三の把持部が設けられた側に設けると共に、この第三の把持部を前記収納庫本体の背面又は側面から突出した状態で設けたものである。
【００２０】
本発明は以上のように構成することにより、収納庫を壁際等に置いた際に、第三の把持部の突出量分の隙間が収納庫本体の電動ファンが設けられた側と壁面等の間に形成される。
【００２１】
【発明の実施形態】
以下、本発明の第一の実施形態について、図１乃至図４に基づいて説明する。なお、本例では収納庫の一例として、低温収納庫を用いて説明する。１は箱状に形成された収納庫本体である。この収納庫本体１は、その上部において鋼製の外殻体２とアルミニウム製の内容器３との間に断熱材４を充填して形成されている。また、前記収納庫本体１の上部には開口部５が形成されていると共に、この開口部５を開閉する扉体６が収納庫本体１に対してヒンジ機構７によって取り付けられている。なお、このヒンジ機構７は、収納庫本体１及び扉体６の背面に設けられている。そして、前記収納庫本体１の側面略中央には吸気口８が形成されていると共に、前記収納庫本体１の背面下方には排気口９が形成されており、この排気口９に電動ファン10が取り付けられている。また、前記扉体６の正面の略中央には、正面側に突出して第一の把持部11が設けられている。更に、前記収納庫本体１の正面上部の略中央には、正面側に突出して第二の把持部12が設けられている。なお、これら第一の把持部11と第二の把持部12は同大で且つ同形状に形成されていると共に、前記第二の把持部12は、前記第一の把持部11と対向するように、この第一の把持部11の直下に設けられている。即ち、扉体６の枢動の中心となるヒンジ機構７の軸と平行な方向である幅方向の座標に関して、第一の把持部11と第二の把持部12の位置は一致している。更に、前記収納庫本体１の背面上部の略中央には、水平方向に突出して第三の把持部13が設けられている。そして、この第三の把持部13は、前記第二の把持部12の反対側に位置する。なお、14は後述する冷却機構16を制御するための制御機構である。また、15は扉体６と収納庫本体１との間を封ずるマグネットパッキンである。
【００２２】
低温収納庫の内部構造について説明する。前記内容器３の下部には、この内容器３と伝熱的に接触して冷却機構16が設けられている。なお、この冷却機構16としては、コンプレッサー式冷却装置、スターリングサイクル冷却装置、ペルチェ効果を利用したサーモモジュール等が用いられる。また、前記吸気口８から前記冷却機構16の放熱部16Ａを経て前記排気口９に至る風路が形成されている。
【００２３】
次に、本実施形態の作用について説明する。まず、使用者は第二の把持部12と第三の把持部13を把持して、低温収納庫を任意の場所に設置する。このとき、第三の把持部13が収納庫本体１の背面から水平方向に突出しているため、低温収納庫を例えば壁際等に設置したとしても、この壁等と収納庫本体１の背面との間に第三の把持部13の突出量分の距離の隙間が形成される。そして、ヒンジ機構７を中心に扉体６を枢動させて開口部５を閉じると共に、図示しない電源プラグを同じく図示しないコンセントに差し込み、制御機構14を操作することで冷却機構16及び電動ファン10が駆動される。すると、前記冷却機構16が動作して、この冷却機構16と伝熱的に接触している内容器３の内部が冷却されることになる。また、前記電動ファン10が駆動されることによって、吸気口８から収納庫本体１の内部に外気が導入されて前記冷却機構16の放熱部16Ａの熱を奪い、前記電動ファン10を経て排気口９から前記収納庫本体１の背面側の外部へ排出される。このとき、前述したように、壁等と収納庫本体１の背面との間に第三の把持部13の突出量分の距離の隙間が形成されているため、排気口９が塞がれることがなく、従って吸気口８から排気口９に至る気流が妨げられることがなく、冷却機構16の熱の排出が確実に行われる。
【００２４】
このようにして、扉体６を閉じたまま内容器３内部を低温にすると、低温収納庫においては、断熱性の向上のためにマグネットパッキン15によって密閉度を高めてあるため、内容器３の内部の気圧が低下して、外気圧が相対的に高い状態になる。そして、このように外気圧が相対的に高い状態では外気圧によって扉体６が収納庫本体１に押し付けられ、マグネットパッキン15の磁力とも相まって、第一の把持部11を一方の手で把持して上方に持ち上げたとしても、扉体６が開かずに収納庫本体１ごと持ち上がってしまう可能性がある。これは特に、内容物の重量を含めた収納庫の総重量が軽い場合に起こりやすい。そこで、他方の手で第二の把持部12を把持して押さえた状態で、一方の手で第一の把持部11を把持して持ち上げることで、前記扉体６を収納庫本体１へ押し付ける力に抗して扉体６を簡単に開くことができる。また、前記第一の把持部11が前記扉体６のヒンジ機構７とは略反対側に設けられ、前記第二の把持部12が前記第一の把持部11と対向する位置に設けられていることによって、扉体６を開こうとする力と収納庫本体１を押さえようとする力が、略垂直の略同一直線上で且つ方向が逆となるベクトルで示されることになり、従って、扉体６を開こうとする力と収納庫本体１を押さえようとする力との間で、これらの力を示すベクトルの始点に殆どずれが生じない。このため、扉体６を開く際に収納庫本体１が傾くような合力が生じず、扉体６をより開きやすくすることができる。
【００２５】
なお、前記扉体６を大きく開くと、この扉体６の後部が前記第三の把持部13と当接する。これによって、前記扉体６が開きすぎないように回り止めされることになる。
【００２６】
以上のように本発明は、収納庫本体１の開口部５を開閉する扉体６を有する収納庫の扉体６に第一の把持部11を設けると共に、前記収納庫本体１に第二の把持部12を設けたものであり、一方の手で第一の把持部11を把持し、他方の手で第二の把持部12を把持し、この第二の把持部12を把持した他方の手によって収納庫本体１を押さえながら第一の把持部11を把持した一方の手によって扉体６を開くので、収納庫の外気圧が相対的に高くなるなどの原因で扉体６が開きにくい状態であっても、容易に扉体６を開くことができる。
【００２７】
また、本発明は、ヒンジ機構７を介して収納庫本体１に取り付けられた扉体６の前記ヒンジ機構７の略反対側に前記第一の把持部11を設け、この第一の把持部11と対向する位置に前記第二の把持部12を設けたものであり、第一の把持部11に加える力と第二の把持部12に加える力との間で、これらの力を示すベクトルの始点が、これらのベクトルと直交する方向である水平方向に殆どずれず、前記扉体６を開く際に前記収納庫本体１が傾くような合力が生じず、より容易に扉体６を開くことができる。
【００２８】
また、本発明は、第二の把持部12とは反対側の収納庫本体１の背面側に第三の把持部13を設けたものであり、第二の把持部12と第三の把持部13を把持することで簡単に収納庫を運ぶことができる。
【００２９】
また、本発明は、前記第三の把持部13を収納庫本体１の背面側の開口部５近傍に突出して設けたものであり、扉体６を開いた際に、この扉体が第三の把持部13に当接することで回り止めされる。
【００３０】
更に、本発明は、前記収納庫本体１内に冷却機構16及び電動ファン10を設け、この電動ファン10を収納庫本体１の背面側に設けると共に、前記第三の把持部13を前記収納庫本体の背面側に突出した状態で設けたものであり、収納庫を壁際等に置いた際に、第三の把持部13の突出量分の隙間が収納庫本体１の背面と壁面等の間に形成されるため、電動ファン10が塞がれず、従って吸気口８から排気口９に至る気流が妨げられることがなく、冷却機構16の熱の排出が確実に行われる。
【００３１】
次に、本発明の第二の実施形態について、図５乃至図６に基づいて説明する。なお、上記実施形態と共通する部分については、共通の符号を付し、その説明を省略する。前記扉体６の前方の略中央上部には、上方に突出して第一の把持部21が設けられている。また、前記収納庫本体１の正面上部の略中央には、凹状に第二の把持部22が設けられている。なお、これら第一の把持部21と第二の把持部22は、ヒンジ機構７の軸方向と平行な左右方向の座標において、形成されている位置が重複している。即ちこの場合、前記扉体の前方略中央に第一の把持部21が形成されており、前記収納庫本体１の正面上部の略中央に第二の把持部22が形成されていることで、これら第一の把持部21と第二の把持部22は、前後方向に多少のずれがあるものの、左右方向において重複している。また、前記第二の把持部22を凹状に形成したことで、前記第一の把持部21と第二の把持部22の前後方向のずれも小さくすることができる。更に、前記収納庫本体１の背面上部の略中央には、水平方向に突出して第三の把持部23が設けられている。そして、この第三の把持部23は、前記第二の把持部22の反対側に位置する。
【００３２】
次に、本実施形態の作用について説明する。まず、使用者は第二の把持部22と第三の把持部23を把持して、低温収納庫を任意の場所に設置する。このとき、第三の把持部23が収納庫本体１の背面から水平方向に突出しているため、低温収納庫を例えば壁際等に設置したとしても、この壁等と収納庫本体１の背面との間に第三の把持部23の突出量分の距離の隙間が形成される。そして、ヒンジ機構７を中心に扉体６を枢動させて開口部５を閉じると共に、図示しない電源プラグを同じく図示しないコンセントに差し込み、制御機構14を操作することで冷却機構16及び電動ファン10が駆動される。すると、前記冷却機構16が動作して、この冷却機構16と伝熱的に接触している内容器３の内部が冷却されることになる。また、前記電動ファン10が駆動されることによって、吸気口８から収納庫本体１の内部に外気が導入されて前記冷却機構16の放熱部16Ａの熱を奪い、前記電動ファン10を経て排気口９から前記収納庫本体１の背面側の外部へ排出される。このとき、前述したように、壁等と収納庫本体１の背面との間に第三の把持部23の突出量分の距離の隙間が形成されているため、排気口９が塞がれることがなく、従って吸気口８から排気口９に至る気流が妨げられることがなく、冷却機構16の熱の排出が確実に行われる。
【００３３】
このようにして、扉体６を閉じたまま内容器３内部を低温にすると、低温収納庫においては、断熱性の向上のためにマグネットパッキン15によって密閉度を高めてあるため、内容器３の内部の気圧が低下して、外気圧が相対的に高い状態になる。そして、このように外気圧が相対的に高い状態では外気圧によって扉体６が収納庫本体１に押し付けられ、マグネットパッキン15の磁力とも相まって、第一の把持部21を一方の手で把持して上方に持ち上げたとしても、扉体６が開かずに収納庫本体１ごと持ち上がってしまう可能性がある。これは特に、内容物の重量を含めた収納庫の総重量が軽い場合に起こりやすい。そこで、他方の手で第二の把持部22を把持して押さえた状態で、一方の手で第一の把持部21を把持して持ち上げることで、前記扉体６を収納庫本体１へ押し付ける力に抗して扉体６を簡単に開くことができる。また、前記第一の把持部21が前記扉体６のヒンジ機構７とは略反対側に設けられ、前記第二の把持部22が前記第一の把持部21の近傍で且つ前記ヒンジ機構７の軸方向と平行な左右方向の座標において前記第一の把持部と重複する位置に設けられていることによって、扉体６を開こうとする力と収納庫本体１を押さえようとする力が、それぞれ略垂直で方向が逆となるベクトルで示されることになり、更に、扉体６を開こうとする力と収納庫本体１を押さえようとする力との間で、これらの力を示すベクトルの始点が左右に殆どずれない。このため、前記扉体６を開く際に前記収納庫本体１が左右に傾くような合力が生じず、扉体６をより開きやすくすることができる。更に、前記第二の把持部22を収納庫本体１の正面上部の略中央に凹状に形成したことにより、前記第一の把持部21と第二の把持部22の前後方向のずれが小さくなり、従って、前記扉体６を開く際に前記収納庫本体１が前後に傾くような合力が殆ど生じず、扉体６をより開きやすくすることができる。
【００３４】
なお、前記扉体６を大きく開くと、この扉体６の後部が前記第三の把持部23と当接する。これによって、前記扉体６が開きすぎないように回り止めされることになる。
【００３５】
以上のように本発明は、収納庫本体１の開口部５を開閉する扉体６を有する収納庫の扉体６に第一の把持部21を設けると共に、前記収納庫本体１に第二の把持部22を設けたものであり、一方の手で第一の把持部21を把持し、他方の手で第二の把持部22を把持し、この第二の把持部22を把持した他方の手によって収納庫本体１を押さえながら第一の把持部21を把持した一方の手によって扉体６を開くので、収納庫の外気圧が相対的に高くなるなどの原因で扉体６が開きにくい状態であっても、容易に扉体６を開くことができる。
【００３６】
また、本発明は、ヒンジ機構７を介して収納庫本体１に取り付けられた扉体６の前記ヒンジ機構７の略反対側に前記第一の把持部21を設け、この第一の把持部11の近傍に前記第二の把持部22を設け、前記ヒンジ機構７の軸方向と平行な左右方向の座標において、前記第一の把持部21と第二の把持部22が重複する位置に設けたものであり、第一の把持部21に加える力と第二の把持部22に加える力との間で、これらの力を示すベクトルの始点が、これらのベクトルと直交する方向である左右方向に殆どずれず、前記扉体６を開く際に前記収納庫本体１が左右に傾くような合力が生じず、より容易に扉体６を開くことができる。
【００３７】
また、本発明は、第二の把持部22とは反対側の収納庫本体１の背面側に第三の把持部23を設けたものであり、第二の把持部22と第三の把持部23を把持することで簡単に収納庫を運ぶことができる。
【００３８】
また、本発明は、前記第三の把持部23を収納庫本体１の背面側の開口部５近傍に突出して設けたものであり、扉体６を開いた際に、この扉体が第三の把持部23に当接することで回り止めされる。
【００３９】
更に、本発明は、前記収納庫本体１内に冷却機構16及び電動ファン10を設け、この電動ファン10を収納庫本体１の背面側に設けると共に、前記第三の把持部23を前記収納庫本体の背面側に突出した状態で設けたものであり、収納庫を壁際等に置いた際に、第三の把持部23の突出量分の隙間が収納庫本体１の背面と壁面等の間に形成されるため、電動ファン10が塞がれず、従って吸気口８から排気口９に至る気流が妨げられることがなく、冷却機構16の熱の排出が確実に行われる。
【００４０】
次に、本発明の第三の実施形態について、図７乃至図８に基づいて説明する。31は箱状に形成された収納庫本体である。この前記収納庫本体31の上部正面には図示しない開口部が形成されていると共に、この開口部を開閉する扉体32が収納庫本体31に対してヒンジ機構33によって取り付けられている。なお、このヒンジ機構33は、収納庫本体31及び扉体32の向かって右側に設けられている。また、前記扉体32の正面の向かって左側の略中央には、正面側に突出して第一の把持部34が設けられている。更に、前記収納庫本体31の正面上部の向かって左側には、正面側に突出して第二の把持部35が設けられている。なお、これら第一の把持部34と第二の把持部35は同大同形状に形成されていると共に、前記第二の把持部35は、前記第一の把持部34と対向するように、この第一の把持部34の向かって直左に設けられている。即ち、扉体32の枢動の中心となるヒンジ機構33の軸と平行な方向である上下方向の座標に関して、第一の把持部34と第二の把持部35の位置は一致している。
【００４１】
次に、本実施形態の作用について説明する。扉体32を閉じたまま図示しない内容器内部を低温にすると、低温収納庫においては、外気圧が相対的に高い状態になる。そして、このように外気圧が相対的に高い状態では外気圧によって扉体32が収納庫本体31に押し付けられ、第一の把持部34を一方の手で把持して前方に引いたとしても、扉体32が開かずに収納庫本体31ごと前方に移動してしまう可能性がある。これは特に、内容物の重量を含めた収納庫の総重量が軽い場合に起こりやすい。そこで、他方の手で第二の把持部35を把持して押さえた状態で、一方の手で第一の把持部34を把持して前方に引くことで、前記扉体32を収納庫本体31へ押し付ける力に抗して扉体32を簡単に開くことができる。また、前記第一の把持部34が前記扉体32のヒンジ機構33とは略反対側に設けられ、前記第二の把持部35が前記第一の把持部34と対向する位置に設けられていることによって、扉体32を開こうとする力と収納庫本体31を押さえようとする力が、略前後方向に水平で且つ方向が逆となるベクトルで示されることになり、従って、扉体32を開こうとする力と収納庫本体31を押さえようとする力との間で、これらの力を示すベクトルの始点が上下に殆どずれない。このため、扉体32を開く際に収納庫本体31が前後に傾くような合力が生じず、扉体32をより開きやすくすることができる。
【００４２】
以上のように本発明は、収納庫本体31の図示しない開口部を開閉する扉体32を有する収納庫の扉体32に第一の把持部34を設けると共に、前記収納庫本体31に第二の把持部35を設けたものであり、一方の手で第一の把持部34を把持し、他方の手で第二の把持部35を把持し、この第二の把持部35を把持した他方の手によって収納庫本体31を押さえながら第一の把持部34を把持した一方の手によって扉体32を開くので、収納庫の外気圧が相対的に高くなるなどの原因で扉体32が開きにくい状態であっても、容易に扉体32を開くことができる。
【００４３】
また、本発明は、ヒンジ機構33を介して収納庫本体31に取り付けられた扉体32の前記ヒンジ機構33の略反対側に前記第一の把持部34を設け、この第一の把持部34と対向する位置に前記第二の把持部35を設けたものであり、第一の把持部34に加える力と第二の把持部35に加える力との間で、これらの力を示すベクトルの始点が、これらのベクトルと直交する方向である上下方向に殆どずれず、前記扉体32を開く際に前記収納庫本体31が前後に傾くような合力が生じず、より容易に扉体32を開くことができる。
【００４４】
なお、本発明は以上の実施形態に限定されるものではなく、発明の要旨の範囲内で種々の変形が可能である。例えば、上記第一の実施形態では、第二の把持部を第一の把持部の近傍に形成したが、第二の把持部を第一の把持部の直下で離れた位置、例えば収納庫本体の正面の略中央や、収納庫本体の正面下部の略中央に設けても良い。また、上記第一の実施形態及び第二の実施形態では、第三の把持部を水平方向に突出した状態で形成したが、多少上向き又は下向きに形成しても良い。
【００４５】
【発明の効果】
本発明の請求項１に記載の収納庫は、開口部を有する収納庫本体と、この収納庫本体の開口部を開閉する扉体とを有する収納庫において、前記扉体に第一の把持部を設けると共に、前記収納庫本体に第二の把持部を設けたものであり、扉体を開く際には、一方の手で第一の把持部を把持し、他方の手で第二の把持部を把持し、この第二の把持部を把持した他方の手によって収納庫本体が押さえられると共に、第一の把持部を把持した一方の手によって扉体が開かれるので、扉体を開く際に収納庫本体が動かず、容易に扉体を開くことができる。
【００４６】
また、本発明の請求項２に記載の収納庫は、請求項１において、前記扉体が、前記収納庫本体の開口部近傍にヒンジ機構を介して取り付けられており、この前記ヒンジ機構の略反対側に前記第一の把持部を設けると共に、前記第二の把持部が、前記第一の把持部と対向する位置に設けられているものであり、第一の把持部に加える力と第二の把持部に加える力との間で、これらの力を示すベクトルの始点が、これらのベクトルと直交する方向に殆どずれないので、扉体を開く際に収納庫本体が殆ど傾かず、より容易に扉体を開くことができる。
【００４７】
更に、本発明の請求項３に記載の収納庫は、請求項１において、前記扉体が、前記収納庫本体の開口部近傍にヒンジ機構を介して取り付けられており、この前記ヒンジ機構の略反対側に前記第一の把持部が設けられ、前記第二の把持部が前記第一の把持部の近傍に設けられると共に、前記ヒンジ機構の軸方向と平行な座標に関して、前記第一の把持部が形成されている位置と第二の把持部が形成されている位置が重複しているものであり、第一の把持部に加える力と第二の把持部に加える力との間で、これらの力を示すベクトルの始点が、これらのベクトルと直交する方向に殆どずれないので、扉体を開く際に収納庫本体が殆ど傾かず、より容易に扉体を開くことができる。
【００４８】
また、本発明の請求項４に記載の収納庫は、請求項２又は３において、前記収納庫本体の第二の把持部とは反対側に第三の把持部を設けたものであり、収納庫本体に設けられた第二の把持部と第三の把持部を把持して収納庫を簡単に運ぶことができる。
【００４９】
また、本発明の請求項５に記載の収納庫は、請求項４において、前記収納庫本体の開口部近傍に、この収納庫本体から突出した状態で前記第三の把持部を設けたものであり、扉体を開いた際に、この扉体が第三の把持部に当接して回り止めすることができる。
【００５０】
更に、本発明の請求項６に記載の収納庫は、請求項４において、前記収納庫本体内に冷却機構及びこの冷却機構の発する熱を冷却するための電動ファンを設け、この電動ファンを前記第三の把持部が設けられた側に設けると共に、この第三の把持部を前記収納庫本体の背面又は側面から突出した状態で設けたものであり、収納庫を壁際等に置いた際に、第三の把持部の突出量分の隙間が収納庫本体の電動ファンが設けられた側と壁面等の間に形成されるので、電動ファンが塞がれず、従って冷却機構の熱を排出するための気流が妨げられず、確実に熱が排出される。
【図面の簡単な説明】
【図１】本発明の第一の実施形態を示す収納庫の正面図である。
【図２】同上、側面図である。
【図３】同上、Ａ−Ａ’断面図である。
【図４】同上、扉体を開いた状態の側面図である。
【図５】本発明の第二の実施形態を示す収納庫の正面図である。
【図６】同上、側面図である。
【図７】本発明の第三の実施形態を示す収納庫の正面図である。
【図８】同上、側面図である。
【符号の説明】
１，31  収納庫本体
５  開口部
６，32  扉体
７，33  ヒンジ機構
10  電動ファン
11，21，34  第一の把持部
12，22，35  第二の把持部
13，23  第三の把持部
16  冷却機構
【図１】
2004205122.tif 000003
【図２】
2004205122.tif 000004
【図３】
2004205122.tif 000005
【図４】
2004205122.tif 000006
【図５】
2004205122.tif 000007
【図６】
2004205122.tif 000008
【図７】
2004205122.tif 000009
【図８】
2004205122.tif 000010